(57)【要約】  レストランのような商人からの勘定書にエンコードされたクイック応答（ＱＲ）コードを使用するシステム及び方法。コードスキャナ(106)は、商人を識別する商人識別コードをエンコードするＱＲコードをスキャンする。ユーザは、勘定を支払うための支払手段をコードスキャナにおいて選択する。コードスキャナは、支払手段に関するデータをアプリケーションサーバーへ送信する。コードスキャナは、勘定の支払が成功であったか不成功であったか指示する状態データをアプリケーションサーバーから受け取る。【選択図】図１
2015506004.tif 000002
【特許請求の範囲】
【請求項１】
コードスキャナを使用して、商人を識別する商人識別コードをエンコードするクイック応答（ＱＲ）コードをスキャニングし；
前記コードスキャナを使用して、前記ＱＲコードをデコードして、前記商人識別コードを回復し；
商人からの勘定に関する情報を前記コードスキャナに表示し；
前記コードスキャナを使用して、勘定を支払うための第１支払手段を選択しそして勘定の支払を許可し；
前記コードスキャナからアプリケーションサーバーへ、前記商人識別コード、勘定書の支払金額に関するデータ、及び第１支払手段に関するデータを送信し；及び
勘定の支払が成功であったか不成功であったかを指示する状態データを前記アプリケーションサーバーから前記コードスキャナで受信する；
ことを含む方法。
【請求項２】
ポイントオブセールターミナルにおいて前記ＱＲコードを発生することを更に含む、請求項１に記載の方法。
【請求項３】
ポイントオブセールターミナルにおいて前記ＱＲコードを受信することを更に含む、請求項１に記載の方法。
【請求項４】
前記ＱＲコードのハードコピーをポイントオブセールターミナルにおいてプリントすることを更に含む、請求項１に記載の方法。
【請求項５】
前記ＱＲコードのハードコピーは、勘定書のハードコピーと共にプリントされる、請求項４に記載の方法。
【請求項６】
前記勘定書及びＱＲコードは、ポイントオブセールターミナルにおいて表示され、そして前記ＱＲコードをスキャニングすることは、更に、前記ポイントオブセールターミナルの電子ディスプレイから前記ＱＲコードをスキャニングすることを含む、請求項１に記載の方法。
【請求項７】
前記ＱＲコードは、更に、勘定書を識別する勘定書識別コードをエンコードし、そして前記ＱＲコードをデコードすることは、更に、勘定書識別コードを回復させる、請求項１に記載の方法。
【請求項８】
前記ＱＲコードは、更に、勘定明細に関するデータをエンコードし、そして前記ＱＲコードをデコードすることは、更に、勘定明細に関するデータを回復させる、請求項１に記載の方法。
【請求項９】
前記ＱＲコードは、更に、（ｉ）勘定書を識別する勘定書識別コード、及び（ii）勘定明細に関するデータをエンコードし、そして前記ＱＲコードをデコードすることは、更に、勘定書識別コード及び勘定明細に関するデータを回復させる、請求項１に記載の方法。
【請求項１０】
前記コードスキャナにおいて勘定書の支払額に関するデータを入力することを更に含む、請求項１に記載の方法。
【請求項１１】
前記コードスキャナにおいて、勘定書の支払額に関するデータ、ウェイター識別に関するデータ、及びテーブル番号に関するデータを入力することを更に含む、請求項１に記載の方法。
【請求項１２】
前記勘定書の支払額に関するデータ、前記ウェイター識別に関するデータ、及び前記テーブル番号に関するデータを前記コードスキャナに表示することを更に含む、請求項１に記載の方法。
【請求項１３】
前記コードスキャナは、更に、勘定書の画像をスキャンし、そして更に、
前記コードスキャナから前記アプリケーションサーバーへ商人識別コードを送信し且つ前記アプリケーションサーバーから商人の勘定書のテンプレート仕様を要求し；
前記アプリケーションサーバーから前記コードスキャナにおいて商人の勘定書のテンプレート仕様を受信し；及び
前記コードスキャナにおいて、勘定書の画像に対して光学的文字認識を遂行して、ウェイター識別に関するデータ、テーブル番号に関するデータ、及び勘定書の支払額に関するデータを回復する；
ことを含む、請求項１に記載の方法。
【請求項１４】
前記コードスキャナにおいて勘定書に関する情報を変更することを更に含む、請求項１に記載の方法。
【請求項１５】
前記コードスキャナにおいて勘定にチップを追加することを更に含む、請求項１４に記載の方法。
【請求項１６】
前記アプリケーションサーバーから支払プロセッサへ、勘定書の支払額に関するデータ及び第１の支払手段に関するデータを送信し；及び
前記支払プロセッサから前記アプリケーションサーバーにおいて、勘定の支払が成功であったか不成功であったか示す状態データを受信する；
ことを更に含む、請求項１に記載の方法。
【請求項１７】
前記アプリケーションサーバーは、前記商人識別コードに関するデータも前記支払プロセッサへ送信する、請求項１６に記載の方法。
【請求項１８】
勘定が支払われたとの指示を前記コードスキャナに表示することを更に含む、請求項１に記載の方法。
【請求項１９】
勘定の支払が成功しなかったとの指示を前記コードスキャナに表示し；
前記コードスキャナを使用して、勘定を支払うための第２の支払手段を選択し、且つ勘定の支払を許可し；及び
前記コードスキャナから前記アプリケーションサーバーへ前記第２の支払手段に関するデータを送信する；
ことを更に含む、請求項１に記載の方法。
【請求項２０】
商人ターミナルを使用して、（ｉ）勘定書を識別する勘定書識別コード及び（ii）勘定明細に関するデータを更にエンコードするＱＲコードをスキャンし；
前記商人ターミナルを使用して、前記ＱＲコードをデコードして、前記勘定書識別コード及び勘定明細に関するデータを回復し；及び
前記勘定書識別コード及び勘定明細に関するデータを勘定書データベースに準備し且つ勘定書の状態を未払いと識別する；
ことを更に含む、請求項１に記載の方法。
【請求項２１】
ポイントオブセールターミナルから商人ターミナルへ（ｉ）勘定書を識別する勘定書識別コード及び（ii）勘定明細に関するデータを送信し；及び
勘定書識別コード及び勘定明細に関するデータを勘定書データベースに準備し且つ勘定書の状態を未払いと識別する；
ことを更に含む、請求項１に記載の方法。
【請求項２２】
前記アプリケーションサーバーから前記商人ターミナルへ、勘定書の支払額に関するデータ、ウェイター識別に関するデータ、及びテーブル番号に関するデータを送信し；及び
勘定書の支払額に関するデータ、ウェイター識別に関するデータ、及びテーブル番号に関するデータを勘定書データベースに準備し、且つ勘定書の状態を未払いと識別する；
ことを更に含む、請求項１に記載の方法。
【請求項２３】
前記アプリケーションサーバーから商人ターミナルへ勘定書の支払われた金額に関するデータを送信し；及び
前記勘定書の支払われた金額及び勘定が支払われたという指示を勘定書データベースに準備する；
ことを更に含む、請求項１に記載の方法。
【請求項２４】
前記アプリケーションサーバーは、前記商人ターミナルへ勘定書識別コードも送信する、請求項２３に記載の方法。
【請求項２５】
前記アプリケーションサーバーは、ウェイター識別に関するデータ及びテーブル番号に関するデータも前記商人ターミナルへ送信する、請求項２３に記載の方法。
【請求項２６】
前記商人ターミナルは、勘定書の支払われた金額に関するデータ及び勘定が支払われたという指示で前記勘定書データベースを更新する、請求項２３に記載の方法。
【請求項２７】
前記コードスキャナを使用して、勘定を分割する複数の除数の１つを選択することを更に含む、請求項１に記載の方法。
【請求項２８】
勘定を支払うための前記第１の支払手段を選択する前に、前記第１の支払手段に関するデータを、前記コードスキャナによりアクセス可能なユーザプロフィールに記憶する；
ことを更に含む、請求項１に記載の方法。
【請求項２９】
プロセッサと；
商人を識別する商人識別コードをエンコードするクイック応答（ＱＲ）コードをスキャンするように構成されたスキャナと；
前記ＱＲコードをデコードするために前記プロセッサにより実行可能なコンピュータ読み取り可能なプログラムインストラクションを含む非一時的コンピュータ読み取り可能なデータ記憶装置と；
勘定情報を表示して、ユーザが、勘定を支払う第１の支払手段を選択し且つ勘定の支払を許可することができるように構成されたユーザインターフェイスと；
ネットワークインターフェイスと；
を備え、前記ネットワークインターフェイスは、前記商人識別コード、勘定書の支払額に関するデータ、及び前記第１の支払手段に関するデータをアプリケーションサーバーへ送信するように構成され、そして
前記ネットワークインターフェイスは、勘定を支払う最初の試みが成功であったか不成功であったか指示する状態データを前記アプリケーションサーバーから受信するように構成された、コードスキャナ装置。
【請求項３０】
前記ユーザインターフェイスは、勘定書の支払額に関するデータを受信するように構成される、請求項２９に記載のコードスキャナ。
【請求項３１】
前記ユーザインターフェイスは、勘定書の支払額を変更するデータを受信するように構成される、請求項２９に記載のコードスキャナ。
【請求項３２】
前記ユーザインターフェイスは、勘定書にチップを追加するデータを受信するように構成される、請求項２９に記載のコードスキャナ。
【請求項３３】
前記ユーザインターフェイスは、勘定を分割する複数の除数の１つの選択を受信するように構成される、請求項２９に記載のコードスキャナ。
【請求項３４】
前記コンピュータ読み取り可能なプログラムインストラクションは、前記コードスキャナによりアクセス可能なユーザプロフィールに前記第１の支払手段に関するデータを記憶するために前記プロセッサにより実行可能である、請求項２９に記載のコードスキャナ。
【請求項３５】
前記スキャナは、勘定書の画像をスキャンするように構成され、
前記ネットワークインターフェイスは、商人識別コードをアプリケーションサーバーへ送信し、且つ商人の勘定書のテンプレート仕様をアプリケーションサーバーから要求するように構成され、
前記ネットワークインターフェイスは、商人の勘定書のテンプレート仕様をアプリケーションサーバーから受信するように構成され、及び
前記コンピュータ読み取り可能なプログラムインストラクションは、勘定書の画像において光学的文字認識を遂行して、ウェイター識別に関するデータ、テーブル番号に関するデータ、及び勘定書の支払額に関するデータを回復させるために前記プロセッサにより実行可能である、請求項２９に記載のコードスキャナ。
【請求項３６】
商人を識別する商人識別コードを第１のコードスキャナからアプリケーションサーバーで受信し、その商人識別コードは、商人からの勘定書に関連したクイック応答（ＱＲ）コードから導出されたものであり；
勘定書の支払額に関するデータを前記第１のコードスキャナから前記アプリケーションサーバーで受信し；
勘定を支払う第１の試みに対して選択された第１の支払手段に関するデータを前記第１のコードスキャナから前記アプリケーションサーバーで受信し；
勘定書の支払額に関するデータ及び第１の支払手段に関するデータの処理で勘定の支払が成功であったか不成功であったか前記アプリケーションサーバーにおいて決定し；及び
勘定を支払う試みが成功であったか不成功であったか指示する第１の状態データを前記アプリケーションサーバーから前記第１のコードスキャナへ送信する；
ことを含む方法。
【請求項３７】
前記第１のコードスキャナのユーザに関連したユーザプロフィールを前記アプリケーションサーバーのデータ記憶装置内に記憶し；
前記ユーザプロフィールを第２のコードスキャナへ送信するための要求を前記アプリケーションサーバーで受信し；及び
前記ユーザプロフィールを前記アプリケーションサーバーから前記第２のコードスキャナへ送信する；
ことを更に含む、請求項３６に記載の方法。
【請求項３８】
前記ユーザプロフィールは、前記アプリケーションサーバーからコードスキャナへの前記ユーザプロフィールの送信を許可するためのセキュリティデータを含み、及び
前記ユーザプロフィール送信する前記要求は、前記セキュリティデータを含み、そして前記アプリケーションサーバーは、前記ユーザプロフィールを前記第２のコードスキャナへ送信する前に、前記要求におけるセキュリティデータが前記ユーザプロフィールのセキュリティデータに一致することを決定する、請求項３７に記載の方法。
【請求項３９】
勘定書の支払額に関するデータ及び第１の支払手段に関するデータを支払プロセッサへ送信する；
ことを更に含み、それら勘定書の支払額に関するデータ及び第１の支払手段に関するデータの処理は、支払プロセッサで行われる、請求項３６に記載の方法。
【請求項４０】
前記支払プロセッサは、前記アプリケーションサーバーから遠隔にある、請求項３９に記載の方法。
【請求項４１】
前記支払プロセッサは、前記アプリケーションサーバー内にある、請求項３９に記載の方法。
【請求項４２】
前記商人識別コードに関するデータを前記支払プロセッサへ送信する；
ことを更に含む、請求項３９に記載の方法。
【請求項４３】
勘定を支払う第２の試みのために選択された第２の支払手段に関するデータを前記第１のコードスキャナから前記アプリケーションサーバーで受信し；
前記アプリケーションサーバーにおいて、前記第２の支払手段に関するデータの処理で勘定支払いが成功であったか不成功であったか決定し；及び
勘定を支払う第２の試みが成功であったか不成功であったか指示する第２の状態データを前記アプリケーションサーバーから前記第１のコードスキャナへ送信する；
ことを更に含む、請求項３６に記載の方法。
【請求項４４】
勘定書識別コード、及び勘定書の支払った額に関するデータを前記アプリケーションサーバーから商人ターミナルへ送信し；及び
勘定書の支払った額、及び勘定が支払われたとの指示を勘定書データベースに与える；
ことを更に含む、請求項３６に記載の方法。
【請求項４５】
勘定書のＱＲコードをデコードするためのスキャナアプリケーションをアプリケーションサーバーから第１のコードスキャナへ送信する；
ことを更に含み、前記商人識別コードは、勘定書のＱＲコード内にエンコードされる、請求項３６に記載の方法。
【請求項４６】
プロセッサと；
コンピュータ読み取り可能なプログラムインストラクションを含む非一時的なコンピュータ読み取り可能なデータ記憶装置と；
第１のコードスキャナから、（ｉ）商人を識別する商人識別コードであって、商人からの勘定書に関連したクイック応答（ＱＲ）コードから導出された商人識別コード、（ii）勘定書の支払額に関するデータ、及び（iii）勘定を支払う試みのために選択された第１の支払手段に関するデータ、を受信するように構成されたネットワークインターフェイスと；を備え、前記プログラムインストラクションは、勘定書の支払額に関するデータ及び第１の支払手段に関するデータの処理で勘定の支払が成功であったか不成功であったか決定するためにプロセッサにより実行され；
前記プログラムインストラクションは、ネットワークインターフェイスが第１の状態データを第１のコードスキャナへ送信するようにさせるためにプロセッサにより実行可能であり；及び
前記第１の状態データは、勘定を支払う試みが成功であったか不成功であったか指示する；アプリケーションサーバーシステム。
【請求項４７】
商人ターミナルにおいて、（ｉ）商人からの勘定書を識別する勘定書識別コード及び（ii）勘定明細に関するデータを受信し、その勘定書識別コード及び勘定明細に関するデータは、勘定書に関連したクイック応答（ＱＲ）コードでエンコードされ；及び
勘定書データベースに勘定書識別コード及び勘定明細に関するデータをプロビジョニングしそして勘定書の状態を未払いとして識別する；
ことを含む方法。
【請求項４８】
前記商人ターミナルにおいて（ｉ）勘定書を識別する勘定書識別コード及び（ii）勘定明細に関するデータを受信することは、
（ｉ）勘定書を識別する勘定書識別コード及び（ii）勘定明細に関するデータをエンコードするＱＲコードを商人ターミナルにおいてスキャンし；及び
商人ターミナルを使用して、ＱＲコードをデコードして、勘定書識別コード及び勘定明細に関するデータを回復すること；
を含む、請求項４７に記載の方法。
【請求項４９】
勘定書の支払った額に関するデータを前記アプリケーションサーバーから商人ターミナルへ送信し；及び
勘定書の支払った額及び勘定が支払われたとの指示を勘定書データベースに与える；
ことを更に含む、請求項４７に記載の方法。
【請求項５０】
前記勘定書識別コードを前記アプリケーションサーバーから前記商人ターミナルへ送信する；
ことを更に含む、請求項４９に記載の方法。
【請求項５１】
ウェイター識別に関するデータ及びテーブル番号に関するデータを前記アプリケーションサーバーから前記商人ターミナルへ送信する；
ことを更に含む、請求項４９に記載の方法。
【請求項５２】
プロセッサと；
コンピュータ読み取り可能なプログラムインストラクションを含む非一時的なコンピュータ読み取り可能なデータ記憶装置と；
ネットワークインターフェイスと；
を備え、前記ネットワークインターフェイスは、（ｉ）商人からの勘定書を識別する勘定書識別コード及び（ii）勘定明細に関するデータを受信するように構成され、その勘定書識別コード及び勘定明細に関するデータは、勘定書に関連したクイック応答（ＱＲ）コードでエンコードされ；及び
前記プログラムインストラクションは、勘定書データベースに勘定書識別コード及び勘定明細に関するデータをプロビジョニングしそして勘定書の状態を未払いとして識別するようにプロセッサにより実行される、商人ターミナル装置。
【請求項５３】
（ｉ）勘定書を識別する勘定書識別コード及び（ii）勘定明細に関するデータをエンコードする前記ＱＲコードをスキャンするように構成されたスキャナを更に備え、
前記プログラムインストラクションは、前記ＱＲコードをデコードして前記勘定書識別コード及び勘定明細に関するデータを回復させる、請求項５２に記載の商人ターミナル。
【請求項５４】
前記ネットワークインターフェイスは、前記アプリケーションサーバーから、勘定書の支払った額に関するデータを受信するように構成され、
前記プログラムインストラクションは、勘定書の支払った額に関するデータ及び勘定が支払われたとの指示を前記勘定書データベースに与えるために前記プロセッサにより実行可能である、請求項５２に記載の商人ターミナル。
【請求項５５】
前記ネットワークインターフェイスは、前記アプリケーションサーバーから勘定書識別コードを受信するように構成される、請求項５４に記載の商人ターミナル。
【請求項５６】
ポイントオブセールターミナルに商人からの勘定書を与え；及び
ポイントオブセールターミナルに、商人を識別する商人識別コードをエンコードするクイック応答（ＱＲ）コードを与える；
ことを含む方法。
【請求項５７】
前記ＱＲコードは、更に、勘定書識別コード及び勘定明細に関するデータをエンコードする、請求項５６に記載の方法。
【請求項５８】
前記ポイントオブセールターミナルにおいて前記ＱＲコードを発生することを更に含む、請求項５６に記載の方法。
【請求項５９】
前記ポイントオブセールターミナルにおいて前記ＱＲコードをプリントすることを更に含む、請求項５６に記載の方法。
【請求項６０】
前記ポイントオブセールターミナルにおいて前記勘定書及びＱＲコードをプリントすることを更に含む、請求項５６に記載の方法。
【請求項６１】
前記勘定明細に関するデータ及び勘定書を識別する勘定書識別コードを前記ポイントオブセールターミナルから商人ターミナルへ送信することを更に含む、請求項５６に記載の方法。
【請求項６２】
プロセッサと；
コンピュータ読み取り可能なプログラムインストラクションを含む非一時的なコンピュータ読み取り可能なデータ記憶装置と；
ネットワークインターフェイスと；
を備え、前記プログラムインストラクションは、商人からの勘定書と、商人を識別する商人識別コードをエンコードするクイック応答（ＱＲ）コードとを与えるように前記プロセッサにより実行される、ポイントオブセールターミナル。
【請求項６３】
前記ネットワークインターフェイスは、前記勘定明細に関するデータ及び勘定書を識別する勘定書識別コードを商人ターミナルへ送信するように構成された、請求項６２に記載のポイントオブセールターミナル。
【発明の詳細な説明】
【技術分野】
【０００１】
本発明は、勘定支払システム及び方法に関する。
【０００２】
優先権主張：本出願は、２０１１年１１月１０日に出願されたＧＢ特許出願第１１１９３７５．２号の利益を主張し、及び２０１２年１月１７日に出願された米国プロビジョナル特許出願第６１／５８７，４１６号の利益を主張するものである。ＧＢ特許出願第１１１９３７５．２号及び米国プロビジョナル特許出願第６１／５８７，４１６号は、全ての目的で参考としてここに援用される。
【背景技術】
【０００３】
レストランや給油所や小売店のような企業における勘定の支払は、退屈で時間のかかるものである。例えば、レストランでは、食事の終わりにディナー客に勘定書が提示されたとき、ディナー客は、勘定を支払うために現金又は支払手段（クレジットカード又はデビットカード、等）をウェイターに渡す。このとき、ウェイターは、支払が現金の場合には釣銭を出すか、又は支払手段が使用される場合にはポイントオブセール（ＰＯＳ）ターミナルを使用することが要求される。
【０００４】
ディナー客が良いサービスの報酬として合計勘定に任意の心付け（又は「チップ」）を付加することを選択するか、又は勘定合計に既に反映された任意の心付けを控除又は変更することを選択した場合には、勘定支払の退屈さの更なる実例となる。更に、ディナー客は、心付けを含んだり含まなかったりする勘定合計を食事仲間で等しく分割することを望んだり、又はディナー客は、各個人が消費した勘定書の品目を各個人が支払うことに合意したりする。
【発明の概要】
【発明が解決しようとする課題】
【０００５】
本出願人は、上述したものより簡単な勘定支払方法が望ましいことが分かった。
【課題を解決するための手段】
【０００６】
規範的な実施形態についてここに述べる。１つの態様において、規範的な実施形態は、（ｉ）コードスキャナを使用して、商人を識別する商人識別コードをエンコードするクイック応答（ＱＲ）コードをスキャニングし；（ii）コードスキャナを使用して、ＱＲコード（登録商標）をデコードして、商人識別コードを回復し；（iii）商人からの勘定に関する情報をコードスキャナに表示し；（iv）コードスキャナを使用して、勘定を支払うための第１支払手段を選択し、そして支払のための勘定を許可し；（ｖ）コードスキャナからアプリケーションサーバーへ商人識別コード、勘定書の支払金額に関するデータ、及び第１支払手段に関するデータを送信し；及び（vi）勘定の支払が成功であったか不成功であったかを指示する状態データをアプリケーションサーバーからコードスキャナで受信する；ことを含む方法の形態をとる。
【０００７】
別の態様において、規範的な実施形態は、（ｉ）プロセッサと；（ii）商人を識別する商人識別コードをエンコードするクイック応答（ＱＲ）コードをスキャンするように構成されたスキャナと；（iii）ＱＲコードをデコードするためにプロセッサにより実行可能なコンピュータ読み取り可能なプログラムインストラクションを含む非一時的コンピュータ読み取り可能なデータ記憶装置と；（iv）勘定情報を表示して、ユーザが、勘定を支払う第１の支払手段を選択し且つ支払のための勘定を許可することができるように構成されたユーザインターフェイスと；（ｖ）ネットワークインターフェイスと；を備え、（vi）そのネットワークインターフェイスは、商人識別コード、勘定書の支払額に関するデータ、及び第１の支払手段に関するデータをアプリケーションサーバーへ送信するように構成され、そして（vii）ネットワークインターフェイスは、勘定を支払う最初の試みが成功であったか不成功であったか指示する状態データをアプリケーションサーバーから受信するように構成される、コードスキャナ装置の形態をとる。
【０００８】
別の態様において、規範的な実施形態は、商人を識別する商人識別コードを第１のコードスキャナからアプリケーションサーバーで受信し；（ii）商人からの勘定書の支払額に関するデータを第１のコードスキャナからアプリケーションサーバーで受信し；（iii）勘定を支払う第１の試みに対して選択された第１の支払手段に関するデータを第１のコードスキャナからアプリケーションサーバーで受信し；（iv）勘定書の支払額に関するデータ及び第１の支払手段に関するデータの処理で勘定の支払が成功であったか不成功であったかアプリケーションサーバーにおいて決定し；及び（ｖ）勘定の支払の試みが成功であったか不成功であったか指示する第１の状態データをアプリケーションサーバーから第１のコードスキャナへ送信する；ことを含む方法の形態をとる。
【０００９】
更に別の態様において、規範的な実施形態は、（ｉ）プロセッサと；（ii）コンピュータ読み取り可能なプログラムインストラクションを含む非一時的なコンピュータ読み取り可能なデータ記憶装置と；（iii）第１のコードスキャナから、（１）商人を識別する商人識別コード、（２）商人からの勘定書の支払額に関するデータ、及び（３）勘定を支払う試みのために選択された第１の支払手段に関するデータ、を受信するためのネットワークインターフェイスと；を備え、（iv）プログラムインストラクションは、勘定書の支払額に関するデータ及び第１の支払手段に関するデータの処理で勘定の支払が成功であったか不成功であったか決定するためにプロセッサにより実行され；（ｖ）プログラムインストラクションは、ネットワークインターフェイスが第１の状態データを第１のコードスキャナへ送信するようにさせるためにプロセッサにより実行可能であり；及び（vi）第１の状態データは、勘定を支払う試みが成功であったか不成功であったか指示する；アプリケーションサーバーシステムの形態をとる。
【００１０】
更に別の態様において、規範的な実施形態は、（ｉ）商人ターミナルにおいて、（１）商人からの勘定書を識別する勘定書識別コード及び（２）勘定書の細部に関するデータを受信し；及び（ii）勘定書データベースに勘定書識別コード及び勘定明細に関するデータをプロビジョニングしそして勘定書の状態を未払いとして識別する；ことを含む方法の形態をとる。
【００１１】
更に別の態様において、規範的な実施形態は、（ｉ）プロセッサと；（ii）コンピュータ読み取り可能なプログラムインストラクションを含む非一時的なコンピュータ読み取り可能なデータ記憶装置と；（iii）ネットワークインターフェイスと；を備え、（iv）ネットワークインターフェイスは、（１）商人からの勘定書を識別する勘定書識別コード及び（２）勘定明細に関するデータを受信するように構成され；及び（ｖ）プログラムインストラクションは、勘定書データベースに勘定書識別コード及び勘定明細に関するデータをプロビジョニングしそして勘定書の状態を未払いとして識別するようにプロセッサにより実行される、商人ターミナル装置の形態をとる。
【００１２】
更に別の態様において、規範的な実施形態は、（ｉ）ポイントオブセールターミナルに商人からの勘定書を与え；及び（ii）ポイントオブセールターミナルに、商人を識別する商人識別コードをエンコードするクイック応答（ＱＲ）コードを与える；ことを含む方法の形態をとる。
【００１３】
更に別の態様において、規範的な実施形態は、（ｉ）プロセッサと；（ii）コンピュータ読み取り可能なプログラムインストラクションを含む非一時的なコンピュータ読み取り可能なデータ記憶装置と；（iii）ネットワークインターフェイスと；を備え、（iv）プログラムインストラクションは、商人からの勘定書と、商人を識別する商人識別コードをエンコードするクイック応答（ＱＲ）コードとを与えるようにプロセッサにより実行されるポイントオブセールターミナルの形態をとる。
【００１４】
これら及び他の態様、並びに効果は、適宜に添付図面を参照して以下の詳細な説明を読むことにより当業者に明らかとなろう。
【図面の簡単な説明】
【００１５】
【図１】勘定支払システムの概略図である。
【図２】図１のシステムにおいてアプリケーションサーバーにホストされる商人ポータルウェブサイトのウェブページを示す。
【図３】規範的なクイック応答（ＱＲ）コードを示す。
【図４】規範的な実施形態によるコードスキャナのブロック図である。
【図５】規範的な実施形態による商人ターミナルのブロック図である。
【図６】規範的な実施形態によるアプリケーションサーバーのブロック図である。
【図７】図１のシステムの第１の実施形態による商人施設において勘定の支払を実行する機能のフローチャートである。
【図８】規範的な実施形態によりスキャナアプリケーションによって与えられる規範的ディスプレイを示す。
【図９】図１のシステムの第２の実施形態による商人施設において勘定の支払を実行する機能のフローチャートである。
【図１０】図１のシステムの第３の実施形態による商人施設において勘定の支払を実行する機能のフローチャートである。
【図１１】図４のシステムの第４の実施形態による商人施設において勘定の支払を実行する機能のフローチャートである。
【図１２】規範的な実施形態によりスキャナアプリケーションによって与えられる更に別の規範的なディスプレイを示す。
【発明を実施するための形態】
【００１６】
Ｉ．はじめに
ここでは、とりわけ、商人の施設における勘定の支払に関する規範的実施形態について述べる。この説明において、冠詞“ａ”又は“an”は、規範的実施形態の要素を紹介するために使用される。これらの冠詞を使用する意図は、１つ以上の要素があることである。少なくとも２つの用語のここに述べるリスト内に接続詞“or”を使用する意図は、リストされた用語又はリストされた用語の組み合わせいずれかを指示することである。「第１」及び「第２」という用語は、各要素を区別するために使用され、それら要素の特定の順序を示すのに使用されるものではない。
【００１７】
この説明では次のような省略形又は頭字語が使用される。
ＣＶＣ：カード検証コード
ＦＩＧ.：図
ＦＩＧｓ.：図
Ｉｎｃ.：インコーポレーテッド
Ｍｅｒｃｈａｎｔ  Ａｐｐ：商人ターミナルアプリケーションプログラム
ＰＩＮ：パーソナル識別番号
ＱＲ：クイック応答
Ｓｃａｎｎｅｒ  Ａｐｐ：スキャナアプリケーションプログラム
ＵＲＬ：ユニフォームリソースロケータ
【００１８】
II．規範的アーキテクチャー
図１は、ここに示す規範的な実施形態による勘定支払システム１００の概略図である。システム１００は、アプリケーションサーバー１０２、ＰＯＳターミナル１０４、良く知られて広く使用されているクイック応答（ＱＲ）コードをスキャンしそしてデコードするように構成されたコードスキャナ１０６、及び商人ターミナル１０８を備えている。コードスキャナ１０６は、ＱＲコードをスキャンするためのソフトウェア、ウェブブラウザ、及びインターネットへのワイヤレス接続が準備された従来のスマートホンハンドセットの形態をとる。コードスキャナ１０６は、「移動ワイヤレス通信装置」、「移動スマートホンハンドセット」或いはもっと簡単に「移動スマートホン」又は「スマートホン」と称される。一例として、移動ワイヤレス通信装置は、パーソナルデジタルアシスタント又はセルラー電話である。別の例として、移動ワイヤレス通信装置は、米国カリフォルニア州クパチーノのアップル社から販売されているｉＰｈｏｎｅ５のようなｉＰｈｏｎｅ又はｉＰａｄである。コードスキャナ１０６は、移動装置である必要はなく、静止型インターネットイネーブル装置に取り付けられたままの装置でよい。
【００１９】
商人ターミナル１０８は、ウェブブラウザ、及びインターネットへのワイヤレス接続が準備された従来のスマートホンハンドセットの形態をとる。商人ターミナル１０８は、「商人ワイヤレス通信装置」、「商人スマートホンハンドセット」又はもっと簡単に「商人スマートホン」と称される。一例として、商人ワイヤレス通信装置は、パーソナルデジタルアシスタント又はセルラー電話である。商人ワイヤレス通信装置１０８は、移動装置である必要はなく、静止型インターネットイネーブル装置に取り付けられたままの装置でよい。
【００２０】
アプリケーションサーバー１０２、ＰＯＳターミナル１０４、コードスキャナ１０６、及び商人ターミナル１０８は、通信ネットワークを使用して互いに通信することができる。通信ネットワーク１１６は、インターネットのようなワイドエリアネットワークを含む。
【００２１】
アプリケーションサーバー１０２とコードスキャナ１０６と商人ターミナル１０８との間の通信は、サーバーホスト型プログラム（図示せず）、コードスキャナ１０６にインストールされて実行されるスキャナアプリケーションプログラム（‘ｓｃａｎｎｅｒ  ａｐｐ’）、及び商人ターミナル１０８にインストールされて実行される商人アプリケーションプログラム（‘ｍｅｒｃｈａｎｔ  ａｐｐ’）を使用することにより促進される。別の態様において、アプリケーションサーバー１０２とコードスキャナ１０６との間の通信は、ネットワークインターフェイス１５２（図４に示す）及びネットワークインターフェイス１７６（図６に示す）を使用して行うことができる。
【００２２】
ユーザは、ダウンロードレポジトリー（例えば、図４のデータ記憶装置１７８）からｓｃａｎｎｅｒ  ａｐｐのコピーをダウンロードし、そしてそれをコードスキャナ１０６にインストールすることができる。インストール時、インストール中、又はインストール後に、ｓｃａｎｎｅｒ  ａｐｐは、コードスキャナ１０６にユーザプロフィール１１０を生成し、そしてユーザの姓名、ｅ−メールアドレス、実在の住所、及び１つ以上の支払手段の明細、例えば、クレジットカード、デビットカード、ｅ−ウォレット、等の個人的属性をユーザが手動で与えるように促す。少なくとも幾つかの規範的実施形態によれば、ユーザプロフィール１１０（例えば、ユーザプロフィール１１０のデータ）は、コードスキャナ１０６にローカルに記憶され、アプリケーションサーバー１０２には通されない。
【００２３】
商人は、ダウンロードレポジトリー（例えば、図４のデータ記憶装置１７８）からｍｅｒｃｈａｎｔ  ａｐｐのコピーをダウンロードし、そしてそれを商人ターミナル１０８にインストールすることができる。アプリケーションサーバー１０２は、商人ポータルウェブサイト１２０をホストし、これは、商人が登録を行いそして個々の商人プロフィールを生成できるようにし、その商人プロフィールは、アプリケーションサーバー１０２により商人データベース１１２に維持される。商人ポータルウェブサイト１２０は、「ポータルウェブサイト」と称される。商人の登録、及び商人データベース１１２における商人プロフィールの生成は、商人ポータルウェブサイト１２０によってオンラインで実行することができる。商人は、商人ポータルウェブサイトを表示するためのウェブサイト表示ディスプレイと、商人ポータルウェブサイトにおいてデータを選択し又は入力するための入力装置とを含む商人コンピューティング装置１３０を使用することができる。
【００２４】
図２は、商人ポータルウェブサイト１２０の規範的なウェブページ２００を示す。ウェブページ２００は、商人ポータルウェブサイト１２０に登録するために商人が完成できる登録フォーム２０１を表示する。ウェブページ２００は、商人ポータルウェブサイト１２０のホームページである。一例として、登録フォーム２０１は、次のフィールド、即ち商人の商売名２０２、商人の商売住所２０４、及び商人の商売記述２０６を含む。一例として、商売記述は、レストラン、自動車修理店、小売店、又は他の商売記述である。登録フォーム２０１のフィールドの他の例も考えられる。登録フォーム２０１へのデータの入力は、例えば、データをタイプするか、又は所定データのリストからデータを選択することにより行われる。
【００２５】
商人は、このように、ＱＲベースの勘定支払について商人を構成することができる。アプリケーションサーバー１０２は、このように構成された各商人商売に独特の商人識別コードを指定することができ、そして商人識別コードは、商人データベースにおいて商人プロフィールに記憶される。それに加えて又はそれとは別に、各商人識別コードが、ＰＯＳターミナル１０４にＱＲコードを配給するＱＲソースに与えられ、記憶される。簡単化のために、商人識別コードは、「識別コード」と称される。
【００２６】
本書において、「ユーザ」及び「顧客」という用語は、コンテキストに基づいて交換可能に使用される。例えば、コードスキャナ１０６におけるｓｃａｎｎｅｒ  ａｐｐのユーザは、商人の顧客でもある。
【００２７】
図３は、規範的なＱＲコード９９９を示す。ＱＲコード９９９は、支払ＱＲコードとしてエンコードされる。
【００２８】
次いで、図４は、コードスキャナ１０６の規範的実施形態を示すブロック図である。図４に示すように、コードスキャナ１０６は、（ｉ）プロセッサ１５０、（ii）通信ネットワーク１１６へデータを送信し及び通信ネットワーク１１６からデータを受信するためのネットワークインターフェイス１５２、（iii）ユーザインターフェイス１５４、（iv）ＱＲコードをスキャン（例えば、捕獲）するように構成されたスキャナ１５６、及び（ｖ）データ記憶装置１５８を備え、これらは、全て、システムバス又は他の接続メカニズム１６０を経て一緒にリンクされる。データ記憶装置１５８は、コンピュータ読み取り可能なプログラムインストラクション（ＣＲＰＩ）１６２、ｓｃａｎｎｅｒ  ａｐｐ１６４及びユーザプロフィール１１０を含む。ＣＲＰＩ１６２は、ｓｃａｎｎｅｒ  ａｐｐ１６４を含む。データ記憶装置１５８は、プロセッサ１５０により読み取り可能な非一時的なコンピュータ読み取り可能な記憶媒体を含む。ここに述べる各コンピュータ読み取り可能な記憶媒体は、プロセッサと完全に又は部分的に一体化される光学的、磁気的、有機、又は他のメモリ、或いはディスク記憶装置のような揮発性及び／又は不揮発性記憶コンポーネントを含む。
【００２９】
ここに述べる各プロセッサは、１つ以上の汎用プロセッサ（例えば、ＩＮＴＥＬシングルコアマイクロプロセッサ又はＩＮＴＥＬマルチコアマイクロプロセッサ）、或いは１つ以上の特殊目的プロセッサ（例えば、デジタル信号プロセッサ）を含む。プロセッサ１５０は、ＣＲＰＩ１６２を実行するように構成される。
【００３０】
図５は、商人ターミナル１０８の規範的実施形態を示すブロック図である。図５に示すように、商人ターミナル１０８は、（ｉ）プロセッサ１６６、（ii）通信ネットワーク１１６へデータを送信し及び通信ネットワーク１１６からデータを受信するためのネットワークインターフェイス１６８、（iii）ユーザインターフェイス１７０、（iv）ＱＲコードをスキャン（例えば、捕獲）するように構成されたスキャナ１７１、及び（ｖ）データ記憶装置１７２を備え、これらは、全て、システムバス又は他の接続メカニズム１７４を経て一緒にリンクされる。データ記憶装置１７２は、コンピュータ読み取り可能なプログラムインストラクション（ＣＲＰＩ）１７６、ｍｅｒｃｈａｎｔ  ａｐｐ１７８、及び勘定書データベース１８０を備えている。ＣＲＰＩ１７６は、ｍｅｒｃｈａｎｔ  ａｐｐ１７８を含む。データ記憶装置１７２は、プロセッサ１６６により読み取り可能な非一時的なコンピュータ読み取り可能な記憶媒体を含む。プロセッサ１６６は、ＣＲＰＩ１７６を実行するように構成される。
【００３１】
次いで、図６は、アプリケーションサーバー１０２の規範的実施形態を示すブロック図である。図６に示すように、アプリケーションサーバー１０２は、（ｉ）プロセッサ１８２、（ii）通信ネットワーク１１６へデータを送信し及び通信ネットワーク１１６からデータを受信するためのネットワークインターフェイス１８４、（iii）ユーザインターフェイス１８６及び（iv）データ記憶装置１８８を備え、これらは、全て、システムバス又は他の接続メカニズム１９０を経て一緒にリンクされる。データ記憶装置１８８は、（ｉ）ＣＲＰＩ１９２、（ii）コードスキャナへダウンロードするためのｓｃａｎｎｅｒ  ａｐｐ１９４、（iii）商人ターミナルへダウンロードするためのｍｅｒｃｈａｎｔ  ａｐｐ１９６、（iv）ユーザプロフィール１９８、（ｖ）商人の商売のための商人ウェブサイト識別コード１４０、及び（vi）商人プロフィール１４２を含む商人データベース１１２を備えている。ＣＲＰＩ１９２は、ｓｃａｎｎｅｒ  ａｐｐ１９４及びｍｅｒｃｈａｎｔ  ａｐｐ１９６を含む。データ記憶装置１８８は、プロセッサ１８２によって読み取り可能な非一時的なコンピュータ読み取り可能な記憶媒体を含む。プロセッサ１８２は、ＣＲＰＩ１９２を実行するように構成される。
【００３２】
III．規範的なオペレーションＡ
システム１００は、コードスキャナ１０６の使用により商人の商売において勘定書を登録して支払を行うのに使用される。以下の例は、食事が終了した後にレストランの勘定を支払うことを希望するレストランにおいてユーザ（ディナー客）によるシステム１００の適用について述べる。この特定例に加えて、システム１００は、例えば、公共料金、交通違反の罰金、オンラインショッピングの勘定、等の他の形式の勘定の支払にも適用できる。商人（レストランの所有者又は管理者）は、アプリケーションサーバー１０２からｍｅｒｃｈａｎｔ  ａｐｐ１９６を予めダウンロードし、ｍｅｒｃｈａｎｔ  ａｐｐを商人ターミナル１０８にインストールし、ポータルウェブサイト１２０に登録し、そして商人データベース１１２において商人プロフィール１４２を生成する。商人プロフィール１４２は、アプリケーションサーバー１０２により指定された商人識別コード１４０を含む。
【００３３】
図７は、規範的な実施形態により実行できる１組の機能７５０を示すフローチャートである。１組の機能７５０は、レストランの勘定を支払うために実行される。１組の機能７５０は、ブロック７００ないし７３８内に示されている。それらのブロックについて以下に説明する。
【００３４】
食事の完了時に、ディナー客は、ウェイターから支払のための勘定書を要求する。ウェイターは、例えば、レストランの名前及び住所、ウェイターの識別、テーブル番号、食事中に消費した各品目の記述及び対応する料金、勘定に含まれた販売税又は付加価値税のような税金、及び合計支払金額を含む勘定書を作成する。ブロック７００において、ＰＯＳターミナル１０４は、商人プロフィール１４２の商人識別コード１４０、勘定書識別コード又は番号、及び勘定書に含まれた全ての明細をエンコードする支払ＱＲコードを与える。支払ＱＲコードは、ＰＯＳターミナル１０４によって発生されるか、又はＱＲコードの外部ソース（図示せず）によりＰＯＳターミナルへ配給される。ブロック７０２において、ウェイター又は商人は、商人ターミナル１０８のｍｅｒｃｈａｎｔ  ａｐｐ１７８及びスキャナ１７１を使用して、ＰＯＳターミナル１０４により与えられた支払ＱＲコードをスキャンする。ブロック７０４において、ｍｅｒｃｈａｎｔ  ａｐｐ１７８は、スキャンした支払ＱＲコードをデコードして、特に、勘定書識別番号及び勘定明細を含むエンコードされたデータを回復させる。ブロック７０６において、ｍｅｒｃｈａｎｔ  ａｐｐ１７８は、勘定書識別番号及び勘定明細を商人ターミナル１０８の勘定書データベース１８０へ添付し、勘定書の状態を保留（又は未払い）とマークする。
【００３５】
勘定書及び支払ＱＲコードは、個々に又は組み合わせて、ディナー客に与えられる。例えば、ＰＯＳターミナル１０４は、支払ＱＲコードを含む勘定書のハードコピーをプリントするか、或いは勘定書のハードコピーとは個別にＱＲコードをプリントする。ブロック７０８において、ユーザは、ｓｃａｎｎｅｒ  ａｐｐ１６４及びスキャナ１５６を使用して、勘定書のハードコピーにおける支払ＱＲコードをスキャンする。ブロック７１０において、ｓｃａｎｎｅｒ  ａｐｐ１６４は、スキャンした支払ＱＲコードをデコードして、商人識別コード、勘定書識別番号及び勘定明細を含むエンコードされたデータを回復させる。ブロック７１２において、ｓｃａｎｎｅｒ  ａｐｐ１６４は、図８に示したように、ユーザインターフェイス１５４に全ての勘定明細を伴うページ８００を表示する。図７のブロック７１４において、ユーザは、ページ８００に表示された勘定明細を再検討し、そしてその表示されたデータを必要に応じて変更することができる。ページ８００のデータを再検討して変更した後、ユーザは、ブロック７１６において、勘定を支払うための支払手段を選択する。ブロック７１８において、ユーザは、勘定を支払うことを受け容れる。次いで、ｓｃａｎｎｅｒ  ａｐｐは、ブロック７２０において、商人識別コード、勘定書識別番号、支払金額、及び支払に使用する支払手段の詳細（例えば、ユーザプロフィール１１０に記憶されたクレジット又はデビットカード番号、カード所有者名、カードの満了日、ＣＶＣ又はＰＩＮ）をアプリケーションサーバー１０２へ送信する。選択された支払手段の詳細がアプリケーションサーバー１０２に受信されると、金融取引の明細（例えば、勘定金額、商人、及び支払明細）が処理のために支払プロセッサ（図示せず）へ送られる（ブロック７２２）。
【００３６】
ブロック７２４において、アプリケーションサーバー１０２は、支払が成功であったかどうか決定する。支払プロセッサは、支払状態インジケータ、例えば、成功又は不成功を送信する。支払状態が成功であった場合には、アプリケーションサーバー１０２は、ブロック７２６において、支払が成功であったことをｓｃａｎｎｅｒ  ａｐｐ１６４に通知し、そして表示されたページがリフレッシュして、ディナー客の勘定が支払われたことを示す（ブロック７２８）。一方、支払状態が不成功であった場合には、アプリケーションサーバー１０２は、ブロック７３０において、支払が不成功であることをｓｃａｎｎｅｒ  ａｐｐ１６４に通知し、そしてｓｃａｎｎｅｒ  ａｐｐ１６４により表示されたページがリフレッシュして、異なる支払手段を選択して支払を再試みするようにユーザに要求する（ブロック７３２）。
【００３７】
ブロック７３４において、支払状態インジケータが成功である場合には、アプリケーションサーバー１０２は、勘定書の識別番号及びユーザにより支払われた金額を処理のために商人ターミナル１０８へ送信する。商人ターミナル１０８は、受信したデータをｍｅｒｃｈａｎｔ  ａｐｐ１７８に与え、このｍｅｒｃｈａｎｔ  ａｐｐは、勘定書の識別コードを使用して、勘定書データベース１８０においてルックアップを行い、それに対応する勘定明細を検索する（ブロック７３６）。ブロック７３８において、ｍｅｒｃｈａｎｔ  ａｐｐは、その勘定書においてユーザにより支払われた金額を含むように勘定明細を更新し、そしてその勘定書の状態を支払済として更新する。
【００３８】
図８に示すように、コードスキャナ１０２のユーザインターフェイス１５４のページ８００に表示された勘定明細は、レストランの名前及び住所８０２、商人識別コード８０４、ウェイターのアイデンティティ又はコード８０６、テーブル番号８０８、食事中に消費した各品目の記述及び料金８１０、並びに支払うべき税金８１２より成る。又、勘定明細は、支払金額に自動的に付加されるサービス料８１４も含む。又、ページ８００は、勘定合計にまだ含まれていない場合は勘定書の支払金額に対してサービス料を付加するか又は既に含まれたサービス料の金額を変更するためのオプションをユーザに与えるアイコン８１６、８１８、８２０及び８２２も含む。アイコン８１６、８１８、及び８２０は、勘定合計のある割合、例えば、１０％、１２．５％及び１５％のような規定のサービス料金に各々関連し、一方、アイコン８２２は、既定のサービス料金とは異なるサービス料金のための自由フォーム入力フィールドに関する。
【００３９】
又、ページ８００は、商人の勘定を支払うために使用する支払手段をユーザが選択できるようにするアイコン８２４及び８２６も表示する。アイコン８２４は、ｅ−ウォレットで支払することを選択するために使用され、一方、アイコン８２６は、デビットカード又はクレジットカードで勘定を支払うことを選択するのに使用される。コードスキャナ１０６のユーザプロフィール１１０が２つ以上の支払手段の詳細を含む場合には、ユーザは、ｓｃａｎｎｅｒ  ａｐｐ１６４に表示されるドロップダウンリストから好ましい支払手段を選択するように促される。
【００４０】
IV．規範的なオペレーションＢ
図９は、別の実施形態により実行できる１組の機能９５０を示すフローチャートである。１組の機能９５０は、レストランの勘定を支払うために実行される。１組の機能９５０は、ブロック９００ないし９３６内に示されている。それらのブロックについて以下に説明する。
【００４１】
食事の完了時に、ディナー客は、ウェイターから支払のための勘定書を要求する。ウェイターは、例えば、レストランの名前及び住所、ウェイターの識別、テーブル番号、食事中に消費した各品目の記述及び対応する料金、勘定に含まれた税金、及び合計支払金額を含む勘定書を作成する。ブロック９００において、ＰＯＳターミナル１０４は、商人プロフィール１４２の商人識別コード１４０、及び勘定書識別コード又は番号をエンコードする支払ＱＲコードを与える。支払ＱＲコードは、ＰＯＳターミナル１０４によって発生されるか、又はＱＲコードの外部ソース（図示せず）によりＰＯＳターミナルへ配給される。ブロック９０２において、ＰＯＳターミナル１０４は、勘定明細及び勘定書識別番号を更なる処理のために商人ターミナル１０８へ送信する。ｍｅｒｃｈａｎｔ  ａｐｐ１７８は、勘定書識別番号及び勘定明細を商人ターミナル１０８の勘定書データベース１８０へ添付し、勘定書の状態を保留とマークする（ブロック９０４）。
【００４２】
ＰＯＳターミナル１０４は、勘定明細及び支払ＱＲコードを表示する勘定書のハードコピーを与える。ブロック９０６において、ユーザは、ｓｃａｎｎｅｒ  ａｐｐ１６４及びスキャナ１５６を使用して、勘定書のハードコピーにおいて支払ＱＲコードをスキャンする。ブロック９０８において、ｓｃａｎｎｅｒ  ａｐｐは、スキャンした支払ＱＲコードをデコードして、それに含まれるエンコードされたデータ、即ち商人識別コード及び勘定書識別番号を回復させる。ブロック９１０において、ｓｃａｎｎｅｒ  ａｐｐ１６４は、商人識別コードと、ユーザが勘定書の支払金額を入力する自由フォーム入力フィールドとを含むページをユーザインターフェイス１５４に表示する。
【００４３】
ブロック９１２において、ユーザは、例えば、勘定書の支払額にサービス料を付加するか、又は勘定書に既に含まれているサービス料金を変更することにより、表示された金額を再検討して変更することができる。ユーザは、ブロック９１４において、勘定を支払うための支払手段を選択する。ブロック９１６において、ユーザは、勘定の支払を受け容れる。次いで、ｓｃａｎｎｅｒ  ａｐｐ１６４は、ブロック９１８において、商人識別コード、勘定書識別番号、支払うべき金額、及び支払に使用する支払手段の詳細（例えば、ユーザプロフィール１１０に記憶されたクレジット又はデビットカード番号、カード所有者名、カード満了日、ＣＶＣ、又はＰＩＮ）をアプリケーションサーバー１０２へ送信する。選択された支払手段の詳細がアプリケーションサーバー１０２に受け取られると、金融取引の明細（例えば、支払金額、商人、及び支払明細）が処理のために支払プロセッサ（図示せず）へ送られる（ブロック９２０）。
【００４４】
ブロック９２２において、アプリケーションサーバー１０２は、支払が成功であったかどうか決定する。支払プロセッサは、支払状態インジケータ、例えば、成功又は不成功を送信する。支払状態が成功であった場合には、アプリケーションサーバー１０２は、ブロック９２４において、支払が成功であったことをｓｃａｎｎｅｒ  ａｐｐ１６４に通知し、そして表示されたページがリフレッシュして、ディナー客の勘定が支払われたことを示す（ブロック９２６）。一方、支払状態が不成功であった場合には、アプリケーションサーバー１０２は、ブロック９２８において、支払が不成功であることをｓｃａｎｎｅｒ  ａｐｐ１６４に通知し、そしてｓｃａｎｎｅｒ  ａｐｐ１６４により表示されたページがリフレッシュして、異なる支払手段を選択して支払を再試みするようにユーザに要求する（ブロック９３０）。
【００４５】
ブロック９３２において、支払状態インジケータが成功である場合には、アプリケーションサーバー１０２は、勘定書の識別番号及びユーザにより支払われた金額を処理のために商人ターミナル１０８へ送信する。商人ターミナル１０８は、受信したデータをｍｅｒｃｈａｎｔ  ａｐｐ１７８に与え、このｍｅｒｃｈａｎｔ  ａｐｐは、勘定書の識別コードを使用して、勘定書データベース１８０においてルックアップを行い、それに対応する勘定明細を検索する（ブロック９３４）。ブロック９３６において、ｍｅｒｃｈａｎｔ  ａｐｐは、その勘定書においてユーザにより支払われた金額を含むように勘定明細を更新し、そしてその勘定書の状態を支払済として更新する。
【００４６】
V．規範的なオペレーションＣ
図１０は、更に別の実施形態により実行できる１組の機能１０５０を示すフローチャートである。１組の機能１０５０は、レストランの勘定を支払うために実行される。１組の機能１０５０は、ブロック１０００ないし１０３６内に示されている。それらのブロックについて以下に説明する。
【００４７】
食事の完了時に、ディナー客は、ウェイターから支払のための勘定書を要求する。ウェイターは、例えば、レストランの名前及び住所、ウェイターの識別、テーブル番号、食事中に消費した各品目の記述及び対応する料金、勘定に含まれた税金、及び合計支払金額を含む勘定書を作成する。ブロック１０００において、商人又はウェイターは、支払ＱＲコードを保持するステッカーを勘定書のハードコピーに添付する。支払ＱＲコードは、スタティックなＱＲコードであり、商人プロフィール１４２の商人識別コード１４０をエンコードする。
【００４８】
ブロック１００２において、ユーザは、ｓｃａｎｎｅｒ  ａｐｐ１６４及びスキャナ１５６を使用して、勘定書のハードコピーにおいて支払ＱＲコードをスキャンする。ブロック１００４において、ｓｃａｎｎｅｒ  ａｐｐ１６４は、スキャンした支払ＱＲコードをデコードして、それに含まれるエンコードされたデータ、即ち商人識別コードを回復させる。ブロック１００６において、ｓｃａｎｎｅｒ  ａｐｐ１６４は、商人識別コードと、ユーザが勘定書の支払金額を入力する自由フォーム入力フィールドと、ウェイター識別コードと、テーブル番号とを含むページをユーザインターフェイス１５４に表示する。
【００４９】
ブロック１００８において、ユーザは、例えば、勘定書の支払額にサービス料を付加するか、又は支払金額に既に含まれているサービス料金の額を変更することにより、表示された金額を再検討して変更することができる。ユーザは、ブロック１０１０において、勘定を支払うための支払手段を選択する。ブロック１０２０において、ユーザは、勘定の支払を受け容れる。次いで、ｓｃａｎｎｅｒ  ａｐｐ１６４は、ブロック１０１４において、商人識別コード、ウェイター識別及びテーブル番号、支払うべき金額、及び支払に使用する選択された支払手段の詳細をアプリケーションサーバー１０２へ送信する。選択された支払手段の詳細がアプリケーションサーバー１０２に受け取られると、金融取引の明細（例えば、支払金額及び支払明細）が処理のために支払プロセッサ（図示せず）へ送られる（ブロック１０１６）。ブロック１０１８において、アプリケーションサーバー１０２は、ウェイターの識別及びテーブル番号と、支払うべき金額とを商人ターミナル１０８へ送信し、そこで、ｍｅｒｃｈａｎｔ  ａｐｐ１７８がウェイター識別／テーブル番号及び支払金額を勘定書データベース１８０に新たな勘定書として添付し、そして勘定書の状態を保留中とマークする（ブロック１０２０）。
【００５０】
ブロック１０２２において、アプリケーションサーバー１０２は、支払が成功であったかどうか決定する。支払プロセッサは、支払状態インジケータ、例えば、成功又は不成功を返送する。支払状態が成功であった場合には、アプリケーションサーバー１０２は、ブロック１０２４において、支払が成功であったことをｓｃａｎｎｅｒ  ａｐｐ１６４に通知し、そして表示されたページがリフレッシュして、ディナー客の勘定が支払われたことを示す（ブロック１０２６）。一方、支払状態が不成功であった場合には、アプリケーションサーバー１０２は、ブロック１０２８において、支払が不成功であることをｓｃａｎｎｅｒ  ａｐｐ１６４に通知し、そしてｓｃａｎｎｅｒ  ａｐｐ１６４により表示されたページがリフレッシュして、異なる支払手段を選択して支払を再試みするようにユーザに要求する（ブロック１０３０）。
【００５１】
ブロック１０３２において、支払状態インジケータが成功である場合には、アプリケーションサーバー１０２は、ウェイター識別／テーブル番号及びユーザにより支払われた金額を処理のために商人ターミナル１０８へ送信する。商人ターミナル１０８は、受信したデータをｍｅｒｃｈａｎｔ  ａｐｐ１７８に与え、このｍｅｒｃｈａｎｔ  ａｐｐは、ウェイター識別／テーブル番号を使用して、勘定書データベース１８０においてルックアップを行い、それに対応する勘定明細を検索する（ブロック１０３４）。ブロック１０３６において、ｍｅｒｃｈａｎｔ  ａｐｐは、その勘定書においてユーザにより支払われた金額を含むように勘定明細を更新し、そしてその勘定書の状態を支払済として更新する。
【００５２】
VI．規範的なオペレーションＤ
図１１は、更に別の実施形態により実行できる１組の機能１１５０を示すフローチャートである。１組の機能１１５０は、レストランの勘定を支払うために実行される。１組の機能１１５０は、ブロック１１００ないし１１３８内に示されている。それらのブロックについて以下に説明する。
【００５３】
この実施形態では、商人ポータルウェブサイト１２０は、商人が、商人の商売で使用される勘定書レイアウトのテンプレート仕様（図示せず）を定義できるようにする。特に、テンプレートは、例えば、商人識別コード、勘定書識別番号、支払金額、ウェイター識別、テーブル番号、等の異なる勘定書属性が配置される商人のハードコピー勘定書のエリアを画成する。テンプレート仕様は、商人データベース１１２の商人プロフィール１４２に記憶される。
【００５４】
更に、この実施形態では、ｓｃａｎｎｅｒ  ａｐｐ１６４及びスキャナ１５６は、画像からの光学的文字認識を遂行する。
【００５５】
食事が完了すると、ディナー客は、ウェイターから支払のための勘定書を要求する。ウェイターは、例えば、レストランの名前及び住所、ウェイターの識別、テーブル番号、食事中に消費した各品目の記述及び対応する料金、勘定に含まれた税金、及び合計支払金額を含む勘定書を作成する。ブロック１１００において、商人又はウェイターは、支払ＱＲコードを保持するステッカーを勘定書のハードコピーに添付する。支払ＱＲコードは、スタティックなＱＲコードであり、商人プロフィール１４２の商人識別コード１４０のみをエンコードしたものである。
【００５６】
ブロック１１０２において、ユーザは、ｓｃａｎｎｅｒ  ａｐｐ１６４及びスキャナ１５６を使用して、ＱＲコードをスキャンすると共に、勘定書のハードコピー全体の画像を得る。ブロック１１０４において、ｓｃａｎｎｅｒ  ａｐｐ１６４は、スキャンした支払ＱＲコードをデコードして、それに含まれるエンコードされたデータ、即ち商人識別コードを回復させる。ブロック１１０６において、ｓｃａｎｎｅｒ  ａｐｐ１６４は、商人識別コードをアプリケーションサーバー１０２へ送信し、そして商人の勘定書のハードコピーのテンプレート仕様を要求する。ブロック１１０８において、アプリケーションサーバー１０２は、商人識別コードを使用して、商人データベース１１２の商人プロフィールでルックアップを行う。ブロック１１１０において、アプリケーションサーバー１０２は、テンプレート仕様をコードスキャナ１０６へ送信する。コードスキャナ１０６は、テンプレート仕様をｓｃａｎｎｅｒ  ａｐｐ１６４に与え、これは、次いで、テンプレート仕様に基づき勘定書ハードコピーの画像において光学的文字認識を遂行する（ブロック１１１２）。光学的文字認識は、勘定書の画像からウェイターの識別、テーブル番号及び支払額を回復させる。
【００５７】
ブロック１１１４において、ｓｃａｎｎｅｒ  ａｐｐ１６４は、商人識別コード、勘定書の支払額、ウェイター識別及びテーブル番号を含むページをユーザインターフェイス１５０に表示する。ブロック１１１６において、ユーザは、例えば、勘定書の支払額にサービス料を付加するか、又は支払額に既に含まれているサービス料金の額を変更することにより、表示された金額を再検討して変更することができる。ユーザは、ブロック１１１８において、勘定を支払うための支払手段を選択する。ブロック１１２０において、ユーザは、勘定の支払を受け容れる。次いで、ｓｃａｎｎｅｒ  ａｐｐ１６４は、ブロック１１２２において、商人識別コード、ウェイター識別及びテーブル番号、支払金額、及び支払に使用する選択された支払手段の詳細をアプリケーションサーバー１０２へ送信する。選択された支払手段の詳細がアプリケーションサーバー１０２に受け取られると、金融取引の明細（例えば、支払金額及び支払明細）が処理のために支払プロセッサ（図示せず）へ送られる（ブロック１１２４）。ブロック１１２６において、アプリケーションサーバー１０２は、ウェイターの識別及びテーブル番号と、支払金額とを商人ターミナル１０８へ送信し、そこで、ｍｅｒｃｈａｎｔ  ａｐｐ１７８がウェイター識別／テーブル番号及び支払金額を勘定書データベース１８０に新たな勘定書として添付し、そして勘定書の状態を保留中とマークする（ブロック１１２８）。
【００５８】
ブロック１１３０において、アプリケーションサーバー１０２は、支払が成功であったかどうか決定する。支払プロセッサは、支払状態インジケータ、例えば、成功又は不成功を返送する。支払状態が成功であった場合には、アプリケーションサーバー１０２は、ブロック１１３２において、支払が成功であったことをｓｃａｎｎｅｒ  ａｐｐ１６４に通知し、そして表示されたページがリフレッシュして、ディナー客の勘定が支払われたことを示す（ブロック１１３４）。一方、支払状態が不成功であった場合には、アプリケーションサーバー１０２は、ブロック１１３６において、支払が不成功であることをｓｃａｎｎｅｒ  ａｐｐ１６４に通知し、そしてｓｃａｎｎｅｒ  ａｐｐ１６４により表示されたページがリフレッシュして、異なる支払手段を選択して支払を再試みするようにユーザに要求する（ブロック１１３８）。
【００５９】
ブロック１１４０において、支払状態インジケータが成功である場合には、アプリケーションサーバー１０２は、ウェイター識別／テーブル番号及びユーザにより支払われた金額を処理のために商人ターミナル１０８へ送信する。商人ターミナル１０８は、受信したデータをｍｅｒｃｈａｎｔ  ａｐｐ１７８に与え、このｍｅｒｃｈａｎｔ  ａｐｐは、ウェイター識別／テーブル番号を使用して、勘定書データベース１８０においてルックアップを行い、それに対応する勘定明細を検索する（ブロック１１４２）。ブロック１１４４において、ｍｅｒｃｈａｎｔ  ａｐｐは、その勘定書においてユーザにより支払われた金額を含むように勘定明細を更新し、そしてその勘定書の状態を支払済として更新する。
【００６０】
明らかなように、本開示の範囲から逸脱せずに多数の変形及び順列が考えられる。これら変形及び順列の幾つかを以下に述べる。
【００６１】
１．ここに開示する１つ以上の実施形態によれば、レストランの勘定書及び支払ＱＲコードは、ハードコピー形態ではなく、例えば、ＰＯＳターミナル１０４の電子ディスプレイのような電子ディスプレイにおいてユーザに直接提示することができる。次いで、ユーザは、勘定を支払うために電子ディスプレイから支払ＱＲコードを直接スキャンすることができる。ＰＯＳターミナル１０４は、商人が商人ターミナルのｍｅｒｃｈａｎｔ  ａｐｐ１７８及びスキャナ１７１により支払ＱＲコードをスキャンすることを要求せずに、勘定書識別コード及び勘定明細を商人ターミナル１０８へ直接送信することができる。
【００６２】
２．ここに開示する１つ以上の実施形態によれば、ユーザプロフィール１１０は、コードスキャナ１０６のみに記憶されるのではなく、複写されて、アプリケーションサーバー１０２にも記憶される。この実施形態では、コードスキャナのｓｃａｎｎｅｒ  ａｐｐ１６４は、ユーザプロフィール１１０への変化をアプリケーションサーバー１０２におけるプロフィールのコピーと同期させる。というのは、その変化は、周期的に発生するか又はユーザコマンドのもとで明確に発生するからである。アプリケーションサーバー１０２におけるユーザプロフィールのコピーは、次いで、例えば、ユーザがスマートホンを取り換えたとき或いはユーザが自分のコードスキャナ１０６を紛失するか又はダメージを与えた場合に、異なるコードスキャナへインポートすることができる。
【００６３】
３．ここに開示する１つ以上の実施形態によれば、システム１００のセキュリティを改善するために、ｓｃａｎｎｅｒ  ａｐｐ１６４によるユーザプロフィール１１０からアプリケーションサーバー１０２へのデータの送信は、暗号化することができる。
【００６４】
４．ここに開示する１つ以上の実施形態によれば、アプリケーションサーバー１０２が金融取引の明細（例えば、支払金額及び支払明細）を処理のために支払プロセッサ（図示せず）へ送信するのではなく、アプリケーションサーバー１０２は、それ自身で支払を処理することができる。
【００６５】
５．ここに開示する１つ以上の実施形態によれば、コードスキャナ１０６のｓｃａｎｎｅｒ  ａｐｐ１６４及び商人ターミナル１０８のｍｅｒｃｈａｎｔ  ａｐｐ１７８は、２つのオペレーションモード、即ちユーザモード及び商人モードを各々有する同じアプリケーションである。コードスキャナ１０６において実行されるアプリケーションは、デフォールトによりユーザモードで動作し、一方、商人ポータルウェブサイト１２０に登録されて商人データベース１１２の商人プロフィールを生成した商人は、商人モードで動作するように商人ターミナルで実行されるアプリケーションを構成することができる。
【００６６】
６．ここに開示する１つ以上の実施形態によれば、図１２に示すように、コードスキャナ１０２のユーザインターフェイス１５４に表示される勘定明細は、勘定の支払をディナー客同士で分割するオプションをユーザに与えるアイコン１２０２、１２０４、１２０６及び１２０８も含む。アイコン１２０２、１２０４、１２０６及び１２０８は、各々、勘定を２、３、４又は５等分することに対応する。勘定を分割するため、ユーザは、アイコン１２０２、１２０４、１２０６及び１２０８の希望の１つを作動し、ユーザインターフェイスのディスプレイがリフレッシュして、合計支払金額（サービス料を含む）と、支払を分担するための各ディナー客の支払小計とを示す。例えば、ユーザがアイコン１２０６を作動して勘定を４等分する場合には、表示されたページが４つの支払小計を示す。このページは、支払するディナー客間で支払合計額を等分するためにユーザが作動するアイコンを含み、このケースでは、ｓｃａｎｎｅｒ  ａｐｐが等しい金額を示すように支払小計を更新する。更に、そのページは、支払小計の合計が合計支払額に等しいという制約を受けて、各支払小計を調整するコントローラ（例えば、スライダーアイコン）を含む。勘定を支払うために、支払を分担する各ディナー客は、そのディナー客の支払小計を支払うことが要求される。
【００６７】
規範的実施形態において述べるクイック応答技術（ＱＲコード）の使用は、商人の施設における勘定支払に関するユーザ相互作用を、従来の既知の方法で可能であるより効率的に実施できるようにする。ユーザがユーザプロフィール１１０を確立すると、ユーザは、コードスキャナ１０６により、商人勘定ウェブサイトに表示されたＱＲコードをスキャンして、勘定の支払を実行するだけでよい。ユーザは、現金で支払うかクレジットカードやデビットカードのような物理的な支払手段で支払わねばならないという退屈を免れる。このように、ＱＲコードを使用して勘定を支払うことで、勘定支払の退屈さが減少されることが明らかである。
【００６８】
ユーザプロフィール１１０のデータは、コードスキャナ１０６にローカル記憶される。これは、クレジット又はデビットカードのような支払手段の詳細のような微妙なユーザデータを、例えば、ウェイター又は商人のような他の個人に手渡す必要がなく、そのような詳細が悪用されるおそれを減少することを意味する。
【００６９】
VII．付加的な規範的実施形態
以下の節は、ここに開示する発明の更なる説明として表されたものである。
【００７０】
節１−コードスキャナを使用して、商人を識別する商人識別コードをエンコードするクイック応答（ＱＲ）コードをスキャニングし；
コードスキャナを使用して、ＱＲコードをデコードして、商人識別コードを回復し；
商人からの勘定に関する情報をコードスキャナに表示し；
コードスキャナを使用して、勘定を支払うための第１支払手段を選択し、そして勘定の支払を許可し；
コードスキャナからアプリケーションサーバーへ商人識別コード、勘定書の支払金額に関するデータ、及び第１支払手段に関するデータを送信し；及び
勘定の支払が成功であったか不成功であったかを指示する状態データをアプリケーションサーバーからコードスキャナで受信する；
ことを含む方法。
【００７１】
節２−ポイントオブセールターミナルにおいてＱＲコードを発生することを更に含む、節１に記載の方法。
【００７２】
節３−ポイントオブセールターミナルにおいてＱＲコードを受信することを更に含む、節１に記載の方法。
【００７３】
節４−ＱＲコードのハードコピーをポイントオブセールターミナルにおいてプリントすることを更に含む、節１から３のいずれかに記載の方法。
【００７４】
節５−ＱＲコードのハードコピーは、勘定書のハードコピーと共にプリントされる、節４に記載の方法。
【００７５】
節６−勘定書及びＱＲコードは、ポイントオブセールターミナルにおいて表示され、そしてＱＲコードをスキャニングすることは、更に、ポイントオブセールターミナルの電子ディスプレイからＱＲコードをスキャニングすることを含む、節１から５のいずれかに記載の方法。
【００７６】
節７−ＱＲコードは、更に、勘定書を識別する勘定書識別コードをエンコードし、そしてＱＲコードをデコードすることは、更に、勘定書識別コードを回復させる、節１から６のいずれかに記載の方法。
【００７７】
節８−ＱＲコードは、更に、勘定明細に関するデータをエンコードし、そしてＱＲコードをデコードすることは、更に、勘定明細に関するデータを回復させる、節１から７のいずれかに記載の方法。
【００７８】
節９−ＱＲコードは、更に、（ｉ）勘定書を識別する勘定書識別コード、及び（ii）勘定明細に関するデータをエンコードし、そしてＱＲコードをデコードすることは、更に、勘定書識別コード及び勘定明細に関するデータを回復させる、節１から８のいずれかに記載の方法。
【００７９】
節１０−コードスキャナにおいて勘定書の支払額に関するデータを入力することを更に含む、節１から９のいずれかに記載の方法。
【００８０】
節１１−コードスキャナにおいて、勘定書の支払額に関するデータ、ウェイター識別に関するデータ、及びテーブル番号に関するデータを入力することを更に含む、節１から１０のいずれかに記載の方法。
【００８１】
節１２−勘定書の支払額に関するデータ、ウェイター識別に関するデータ、及びテーブル番号に関するデータをコードスキャナに表示することを更に含む、節１から１１のいずれかに記載の方法。
【００８２】
節１３−コードスキャナは、更に、勘定書の画像をスキャンし、そして更に、
コードスキャナからアプリケーションサーバーへ商人識別コードを送信し、且つアプリケーションサーバーから商人の勘定書のテンプレート仕様を要求し；
アプリケーションサーバーからコードスキャナにおいて商人の勘定書のテンプレート仕様を受信し；及び
コードスキャナにおいて、勘定書の画像に対して光学的文字認識を遂行して、ウェイター識別に関するデータ、テーブル番号に関するデータ、及び勘定書の支払額に関するデータを回復する；
ことを含む、節１から５、７、及び１２に記載の方法。
【００８３】
節１４−コードスキャナにおいて勘定書に関する情報を変更することを更に含む、節１から１３のいずれかに記載の方法。
【００８４】
節１５−コードスキャナにおいて勘定にチップを追加することを更に含む、節１４に記載の方法。
【００８５】
節１６−アプリケーションサーバーから支払プロセッサへ勘定書の支払額に関するデータ及び第１の支払手段に関するデータを送信し；及び
支払プロセッサからアプリケーションサーバーにおいて、勘定の支払が成功であったか不成功であったか示す状態データを受信する；
ことを更に含む節１から１５のいずれかに記載の方法。
【００８６】
節１７−アプリケーションサーバーは、商人識別コードに関するデータも支払プロセッサへ送信する、節１６に記載の方法。
【００８７】
節１８−勘定が支払われたとの指示をコードスキャナに表示する；
ことを更に含む、節１から１７のいずれかに記載の方法。
【００８８】
節１９−勘定の支払が成功しなかったとの指示をコードスキャナに表示し；
コードスキャナを使用して、勘定を支払うための第２の支払手段を選択し、且つ勘定の支払を許可し；及び
コードスキャナからアプリケーションサーバーへ第２の支払手段に関するデータを送信する；
ことを更に含む、節１から１７のいずれかに記載の方法。
【００８９】
節２０−商人ターミナルを使用して、（ｉ）勘定書を識別する勘定書識別コード及び（ii）勘定明細に関するデータを更にエンコードするＱＲコードをスキャンし；
商人ターミナルを使用して、ＱＲコードをデコードして、勘定書識別コード及び勘定明細に関するデータを回復し；及び
勘定書識別コード及び勘定明細に関するデータを勘定書データベースに準備し且つ勘定書の状態を未払いと識別する；
ことを更に含む、節１から１９のいずれかに記載の方法。
【００９０】
節２１−ポイントオブセールターミナルから商人ターミナルへ（ｉ）勘定書を識別する勘定書識別コード及び（ii）勘定明細に関するデータを送信し；及び
勘定書識別コード及び勘定明細に関するデータを勘定書データベースに準備し且つ勘定書の状態を未払いと識別する；
ことを更に含む、節１から１９のいずれかに記載の方法。
【００９１】
節２２−アプリケーションサーバーから商人ターミナルへ、勘定書の支払額に関するデータ、ウェイター識別に関するデータ、及びテーブル番号に関するデータを送信し；及び
勘定書の支払額に関するデータ、ウェイター識別に関するデータ、及びテーブル番号に関するデータを勘定書データベースに準備し、且つ勘定書の状態を未払いと識別する；
ことを更に含む、節１から２１のいずれかに記載の方法。
【００９２】
節２３−アプリケーションサーバーから商人ターミナルへ勘定書の支払われた金額に関するデータを送信し；及び
勘定書の支払われた金額及び勘定が支払われたという指示を勘定書データベースに準備する；
ことを更に含む、節１から２２のいずれかに記載の方法。
【００９３】
節２４−アプリケーションサーバーは、商人ターミナルへ勘定書識別コードも送信する、節２３に記載の方法。
【００９４】
節２５−アプリケーションサーバーは、ウェイター識別に関するデータ及びテーブル番号に関するデータも商人ターミナルへ送信する、節２３又は２４に記載の方法。
【００９５】
節２６−商人ターミナルは、勘定書の支払われた金額に関するデータ及び勘定が支払われたという指示で勘定書データベースを更新する、節２３から２５のいずれかに記載の方法。
【００９６】
節２７−コードスキャナを使用して、勘定を分割する複数の除数の１つを選択することを更に含む、節１から２６のいずれかに記載の方法。
【００９７】
節２８−勘定を支払うための第１の支払手段を選択する前に、第１の支払手段に関するデータを、コードスキャナによりアクセス可能なユーザプロフィールに記憶する；
ことを更に含む、節１から２７のいずれかに記載の方法。
【００９８】
節２９−プロセッサと；
節１から２８のいずれかに記載の方法を実施するためにプロセッサにより実行可能なプログラムインストラクションを含むコンピュータ読み取り可能なデータ記憶装置と；
を備えたコードスキャナ装置。
【００９９】
節３０−節１から２８のいずれかに記載の方法を実施するためにプロセッサにより実行可能なコンピュータ読み取り可能なプログラムインストラクションを含むコンピュータ読み取り可能なデータ記憶装置。
【０１００】
節３１−コンピュータ読み取り可能なデータ記憶装置は、非一時的なコンピュータ読み取り可能なデータ記憶装置である、節３０に記載のコンピュータ読み取り可能なデータ記憶装置。
【０１０１】
節３２−搬送波で実施されるコンピュータデータ信号であって、節１から２８のいずれかに記載の方法を遂行するためのコンピュータ読み取り可能なプログラムインストラクションを含むコンピュータデータ信号。
【０１０２】
節３３−節１から２８のいずれかに記載の方法を遂行するためのコンピュータ読み取り可能なプログラムインストラクションを搬送する再現可能なコンピュータ読み取り可能な信号。
【０１０３】
節３４−データ処理システムのユーザを商人サーバーに登録するためのコンピュータソフトウェア製品であって、データ処理システムのプロセッサにより実行されたときにデータ処理システムが節１から２８のいずれかに記載の機能を実行するようにさせるインストラクションを含むソフトウェア製品。
【０１０４】
節３５−プロセッサと；
商人を識別する商人識別コードをエンコードするクイック応答（ＱＲ）コードをスキャンするように構成されたスキャナと；
ＱＲコードをデコードするためにプロセッサにより実行可能なコンピュータ読み取り可能なプログラムインストラクションを含む非一時的コンピュータ読み取り可能なデータ記憶装置と；
勘定情報を表示して、ユーザが、勘定を支払う第１の支払手段を選択し且つ勘定の支払を許可することができるように構成されたユーザインターフェイスと；
ネットワークインターフェイスと；
を備え、そのネットワークインターフェイスは、商人識別コード、勘定書の支払額に関するデータ、及び第１の支払手段に関するデータをアプリケーションサーバーへ送信するように構成され、そして
ネットワークインターフェイスは、勘定を支払う最初の試みが成功であったか不成功であったか指示する状態データをアプリケーションサーバーから受信するように構成される、コードスキャナ装置。
【０１０５】
節３６−ユーザインターフェイスは、勘定書の支払額に関するデータを受信するように構成される、節３５に記載のコードスキャナ。
【０１０６】
節３７−ユーザインターフェイスは、勘定書の支払額を変更するデータを受信するように構成される、節３５又は３６に記載のコードスキャナ。
【０１０７】
節３８−ユーザインターフェイスは、勘定書にチップを追加するデータを受信するように構成される、節３５から３７のいずれかに記載のコードスキャナ。
【０１０８】
節３９−ユーザインターフェイスは、勘定を分割する複数の除数の１つの選択を受信するように構成される、節３５から３８のいずれかに記載のコードスキャナ。
【０１０９】
節４０−コンピュータ読み取り可能なプログラムインストラクションは、コードスキャナによりアクセス可能なユーザプロフィールに第１の支払手段に関するデータを記憶するためにプロセッサにより実行可能である、節３５から３９のいずれかに記載のコードスキャナ。
【０１１０】
節４１−スキャナは、勘定書の画像をスキャンするように構成され、
ネットワークインターフェイスは、商人識別コードをアプリケーションサーバーへ送信し、且つ商人の勘定書のテンプレート仕様をアプリケーションサーバーから要求するように構成され、
ネットワークインターフェイスは、商人の勘定書のテンプレート仕様をアプリケーションサーバーから受信するように構成され、及び
コンピュータ読み取り可能なプログラムインストラクションは、勘定書の画像において光学的文字認識を遂行して、ウェイター識別に関するデータ、テーブル番号に関するデータ、及び勘定書の支払額に関するデータを回復させるためにプロセッサにより実行可能である、節３５及び３７から４０のいずれかに記載のコードスキャナ。
【０１１１】
節４２−商人を識別する商人識別コードを第１のコードスキャナからアプリケーションサーバーで受信し、その商人識別コードは、商人からの勘定書に関連したクイック応答（ＱＲ）コードから導出されたものであり；
勘定書の支払額に関するデータを第１のコードスキャナからアプリケーションサーバーで受信し；
勘定を支払う第１の試みに対して選択された第１の支払手段に関するデータを第１のコードスキャナからアプリケーションサーバーで受信し；
勘定書の支払額に関するデータ及び第１の支払手段に関するデータの処理で勘定の支払が成功であったか不成功であったかアプリケーションサーバーにおいて決定し；及び
勘定を支払う試みが成功であったか不成功であったか指示する第１の状態データをアプリケーションサーバーから第１のコードスキャナへ送信する；
ことを含む方法。
【０１１２】
節４３−第１のコードスキャナのユーザに関連したユーザプロフィールをアプリケーションサーバーのデータ記憶装置内に記憶し；
ユーザプロフィールを第２のコードスキャナへ送信するための要求をアプリケーションサーバーで受信し；及び
ユーザプロフィールをアプリケーションサーバーから第２のコードスキャナへ送信する；ことを更に含む、節４２に記載の方法。
【０１１３】
節４４−ユーザプロフィールは、アプリケーションサーバーからコードスキャナへのユーザプロフィールの送信を許可するためのセキュリティデータを含み、及び
ユーザプロフィール送信する要求は、そのセキュリティデータを含み、そしてアプリケーションサーバーは、ユーザプロフィールを第２のコードスキャナへ送信する前に、その要求におけるセキュリティデータがユーザプロフィールのセキュリティデータに一致することを決定する、節４３に記載の方法。
【０１１４】
節４５−勘定書の支払額に関するデータ及び第１の支払手段に関するデータを支払プロセッサへ送信する；
ことを更に含み、それら勘定書の支払額に関するデータ及び第１の支払手段に関するデータの処理は、支払プロセッサで行われる、節４２から４４のいずれかに記載の方法。
【０１１５】
節４６−支払プロセッサは、アプリケーションサーバーから遠隔にある、節４５に記載の方法。
【０１１６】
節４７−支払プロセッサは、アプリケーションサーバー内にある、節４５に記載の方法。
【０１１７】
節４８−商人識別コードに関するデータを支払プロセッサへ送信する；
ことを更に含む、節４５に記載の方法。
【０１１８】
節４９−勘定を支払う第２の試みのために選択された第２の支払手段に関するデータを第１のコードスキャナからアプリケーションサーバーで受信し；
アプリケーションサーバーにおいて、第２の支払手段に関するデータの処理で勘定支払いが成功であったか不成功であったか決定し；及び
勘定を支払う第２の試みが成功であったか不成功であったか指示する第２の状態データをアプリケーションサーバーから第１のコードスキャナへ送信する；
ことを更に含む、節４２から４８のいずれかに記載の方法。
【０１１９】
節５０−勘定書識別コード、及び勘定書の支払った額に関するデータをアプリケーションサーバーから商人ターミナルへ送信し；及び
勘定書の支払った額、及び勘定が支払われたとの指示を勘定書データベースに与える；
ことを更に含む、節４２から４９のいずれかに記載の方法。
【０１２０】
節５１−勘定書のＱＲコードをデコードするためのスキャナアプリケーションをアプリケーションサーバーから第１のコードスキャナへ送信する；
ことを更に含み、商人識別コードは、勘定書のＱＲコード内にエンコードされる、節４２から５０のいずれかに記載の方法。
【０１２１】
節５２−プロセッサと；
節４２から５１のいずれかに記載の方法を実施するためにプロセッサにより実行可能なプログラムインストラクションを含むコンピュータ読み取り可能なデータ記憶装置と；
を備えたサーバー装置。
【０１２２】
節５３−節４２から５１のいずれかに記載の方法を実施するためにプロセッサにより実行可能なコンピュータ読み取り可能なプログラムインストラクションを含むコンピュータ読み取り可能なデータ記憶装置。
【０１２３】
節５４−コンピュータ読み取り可能なデータ記憶装置は、非一時的なコンピュータ読み取り可能なデータ記憶装置である、節５３に記載のコンピュータ読み取り可能なデータ記憶装置。
【０１２４】
節５５−搬送波で実施されるコンピュータデータ信号であって、節４２から５１のいずれかに記載の方法を遂行するためのコンピュータ読み取り可能なプログラムインストラクションを含むコンピュータデータ信号。
【０１２５】
節５６−節４２から５１のいずれかに記載の方法を遂行するためのコンピュータ読み取り可能なプログラムインストラクションを搬送する再現可能なコンピュータ読み取り可能な信号。
【０１２６】
節５７−データ処理システムのユーザを商人サーバーに登録するためのコンピュータソフトウェア製品であって、データ処理システムのプロセッサにより実行されたときにデータ処理システムが節４２から５１のいずれかに記載の機能を実行するようにさせるインストラクションを含むソフトウェア製品。
【０１２７】
節５８−プロセッサと；
コンピュータ読み取り可能なプログラムインストラクションを含む非一時的なコンピュータ読み取り可能なデータ記憶装置と；
第１のコードスキャナから、（ｉ）商人を識別する商人識別コードであって、商人からの勘定書に関連したクイック応答（ＱＲ）コードから導出された商人識別コード、（ii）勘定書の支払額に関するデータ、及び（iii）勘定を支払う試みのために選択された第１の支払手段に関するデータ、を受信するように構成されたネットワークインターフェイスと；を備え、プログラムインストラクションは、勘定書の支払額に関するデータ及び第１の支払手段に関するデータの処理で勘定の支払が成功であったか不成功であったか決定するためにプロセッサにより実行され；
プログラムインストラクションは、ネットワークインターフェイスが第１の状態データを第１のコードスキャナへ送信するようにさせるためにプロセッサにより実行可能であり；及び
第１の状態データは、勘定を支払う試みが成功であったか不成功であったか指示する；アプリケーションサーバーシステム。
【０１２８】
節５９−商人ターミナルにおいて、（ｉ）商人からの勘定書を識別する勘定書識別コード及び（ii）勘定明細に関するデータを受信し、その勘定書識別コード及び勘定明細に関するデータは、勘定書に関連したクイック応答（ＱＲ）コードでエンコードされ；及び
勘定書データベースに勘定書識別コード及び勘定明細に関するデータをプロビジョニングしそして勘定書の状態を未払いとして識別する；
ことを含む方法。
【０１２９】
節６０−商人ターミナルにおいて（ｉ）勘定書を識別する勘定書識別コード及び（ii）勘定明細に関するデータを受信することは、
（ｉ）勘定書を識別する勘定書識別コード及び（ii）勘定明細に関するデータをエンコードするＱＲコードを商人ターミナルにおいてスキャンし；及び
商人ターミナルを使用して、ＱＲコードをデコードして、勘定書識別コード及び勘定明細に関するデータを回復すること；
を含む、節５９に記載の方法。
【０１３０】
節６１−勘定書の支払った額に関するデータをアプリケーションサーバーから商人ターミナルへ送信し；及び
勘定書の支払った額及び勘定が支払われたとの指示を勘定書データベースに与える；
ことを更に含む、節５９から６０のいずれかに記載の方法。
【０１３１】
節６２−勘定書識別コードをアプリケーションサーバーから商人ターミナルへ送信する；ことを更に含む、節６１に記載の方法。
【０１３２】
節６３−ウェイター識別に関するデータ及びテーブル番号に関するデータをアプリケーションサーバーから商人ターミナルへ送信する；
ことを更に含む、節６１から６２のいずれかに記載の方法。
【０１３３】
節６４−プロセッサと；
節５９から６３のいずれかに記載の方法を実施するためにプロセッサにより実行可能なプログラムインストラクションを含むコンピュータ読み取り可能なデータ記憶装置と；
を備えた商人ターミナル装置。
【０１３４】
節６５−節５９から６３のいずれかに記載の方法を実施するためにプロセッサにより実行可能なコンピュータ読み取り可能なプログラムインストラクションを含むコンピュータ読み取り可能なデータ記憶装置。
【０１３５】
節６６−コンピュータ読み取り可能なデータ記憶装置は、非一時的なコンピュータ読み取り可能なデータ記憶装置である、節６５に記載のコンピュータ読み取り可能なデータ記憶装置。
【０１３６】
節６７−搬送波で実施されるコンピュータデータ信号であって、節５９から６３のいずれかに記載の方法を遂行するためのコンピュータ読み取り可能なプログラムインストラクションを含むコンピュータデータ信号。
【０１３７】
節６８−節５９から６３のいずれかに記載の方法を遂行するためのコンピュータ読み取り可能なプログラムインストラクションを搬送する再現可能なコンピュータ読み取り可能な信号。
【０１３８】
節６９−データ処理システムのユーザを商人サーバーに登録するためのコンピュータソフトウェア製品であって、データ処理システムのプロセッサにより実行されたときにデータ処理システムが節５９から６３のいずれかに記載の機能を実行するようにさせるインストラクションを含むソフトウェア製品。
【０１３９】
節７０−プロセッサと；
コンピュータ読み取り可能なプログラムインストラクションを含む非一時的なコンピュータ読み取り可能なデータ記憶装置と；
ネットワークインターフェイスと；
を備え、ネットワークインターフェイスは、（ｉ）商人からの勘定書を識別する勘定書識別コード及び（ii）勘定明細に関するデータを受信するように構成され、その勘定書識別コード及び勘定明細に関するデータは、勘定書に関連したクイック応答（ＱＲ）コードでエンコードされ；及び
プログラムインストラクションは、勘定書データベースに勘定書識別コード及び勘定明細に関するデータをプロビジョニングしそして勘定書の状態を未払いとして識別するようにプロセッサにより実行される、商人ターミナル装置。
【０１４０】
節７１−（ｉ）勘定書を識別する勘定書識別コード及び（ii）勘定明細に関するデータをエンコードするＱＲコードをスキャンするように構成されたスキャナを更に備え、
プログラムインストラクションは、ＱＲコードをデコードして、勘定書識別コード及び勘定明細に関するデータを回復させる、節７０に記載の商人ターミナル。
【０１４１】
節７２−ネットワークインターフェイスは、アプリケーションサーバーから、勘定書の支払った額に関するデータを受信するように構成され、
プログラムインストラクションは、勘定書の支払った額に関するデータ及び勘定が支払われたとの指示を勘定書データベースに与えるためにプロセッサにより実行可能である、節７０又は７１に記載の商人ターミナル。
【０１４２】
節７３−ネットワークインターフェイスは、アプリケーションサーバーから勘定書識別コードを受信するように構成される、節７２に記載の商人ターミナル。
【０１４３】
節７４−ポイントオブセールターミナルに商人からの勘定書を与え；及び
ポイントオブセールターミナルに、商人を識別する商人識別コードをエンコードするクイック応答（ＱＲ）コードを与える；
ことを含む方法。
【０１４４】
節７５−ＱＲコードは、更に、勘定書識別コード及び勘定明細に関するデータをエンコードする、節７４に記載の方法。
【０１４５】
節７６−ポイントオブセールターミナルにおいてＱＲコードを発生することを更に含む、節７４から７５のいずれかに記載の方法。
【０１４６】
節７７−ポイントオブセールターミナルにおいてＱＲコードをプリントすることを更に含む、節７４から７６のいずれかに記載の方法。
【０１４７】
節７８−ポイントオブセールターミナルにおいて勘定書及びＱＲコードをプリントすることを更に含む、節７４から７６のいずれかに記載の方法。
【０１４８】
節７９−勘定明細に関するデータ及び勘定書を識別する勘定書識別コードをポイントオブセールターミナルから商人ターミナルへ送信することを更に含む、節７４から７８のいずれかに記載の方法。
【０１４９】
節８０−プロセッサと；
節７４から７９のいずれかに記載の方法を実施するためにプロセッサにより実行可能なプログラムインストラクションを含むコンピュータ読み取り可能なデータ記憶装置と；
を備えたポイントオブセールターミナル装置。
【０１５０】
節８１−節７４から７９のいずれかに記載の方法を実施するためにプロセッサにより実行可能なコンピュータ読み取り可能なプログラムインストラクションを含むコンピュータ読み取り可能なデータ記憶装置。
【０１５１】
節８２−コンピュータ読み取り可能なデータ記憶装置は、非一時的なコンピュータ読み取り可能なデータ記憶装置である、節８１に記載のコンピュータ読み取り可能なデータ記憶装置。
【０１５２】
節８３−搬送波で実施されるコンピュータデータ信号であって、節７４から７９のいずれかに記載の方法を遂行するためのコンピュータ読み取り可能なプログラムインストラクションを含むコンピュータデータ信号。
【０１５３】
節８４−節７４から７９のいずれかに記載の方法を遂行するためのコンピュータ読み取り可能なプログラムインストラクションを搬送する再現可能なコンピュータ読み取り可能な信号。
【０１５４】
節８５−データ処理システムのユーザを商人サーバーに登録するためのコンピュータソフトウェア製品であって、データ処理システムのプロセッサにより実行されたときにデータ処理システムが節７４から７９のいずれかに記載の機能を実行するようにさせるインストラクションを含むソフトウェア製品。
【０１５５】
節８６−プロセッサと；
コンピュータ読み取り可能なプログラムインストラクションを含む非一時的なコンピュータ読み取り可能なデータ記憶装置と；
ネットワークインターフェイスと；
を備え、プログラムインストラクションは、商人からの勘定書と、商人を識別する商人識別コードをエンコードするクイック応答（ＱＲ）コードとを与えるようにプロセッサにより実行されるポイントオブセールターミナル。
【０１５６】
節８７−ネットワークインターフェイスは、勘定明細に関するデータ及び勘定書を識別する勘定書識別コードを商人ターミナルへ送信するように構成された、節８６に記載のポイントオブセールターミナル。
【０１５７】
節８８−第１当事者の資金を蓄積するための第１当事者ウォレット及び第２当事者の資金を蓄積するための第２当事者ウォレットを有する金融サーバーを使用して、第１当事者装置を伴う第１当事者から第２当事者装置を伴う第２当事者へ資金を移動するためにデータ処理システムにより実行される方法において、第１当事者から第２当事者へ資金を移動する取引のために独特の識別子を発生し、その独特の識別子を使用して、第１当事者は、金融サーバーが第１当事者に蓄積された資金を第２当事者へ移動するのを許可し、金融サーバーは、第１当事者から受け取った許可に基づいて第１当事者のウォレットから第２当事者のウォレットへ資金を移動し、そして金融サーバーは、取引が行われたことを第２当事者へ通知する、ことを含む方法。
【０１５８】
節８９−第１当事者は顧客であり、第２当事者は商人であり、金融取引は、顧客が商人からの勘定書の支払をするというものであり、
勘定書のエンコーディングをスキャンし；
勘定書のエンコーディングをスキャンするのに応答して、勘定書のエンコーディングを金融サーバーへ送信し；
金融サーバーから勘定書の内訳を受け取り、勘定書の内訳は、少なくとも、品目別にされた購入品リストを含み；
勘定書の内訳を受け取るのに応答して、サービス料のリストからサービス料を選択するよう促し；
サービス料のリストに列挙された選択されたサービス料を受け取り；及び
選択されたサービス料を受け取るのに応答して、その選択されたサービス料を勘定書に追加し且つ許可を金融サーバーへ送信して、その合計金額を第１当事者のウォレットから第２当事者のウォレットへ移動し、その合計金額は、品目別の購入品リストに関連した料金と、選択されたサービス料とを含む、節８８に記載の方法。
【０１５９】
VIII．結論
以上、規範的な実施形態を説明した。当業者であれば、請求の範囲に規定された本発明の精神及び範囲から逸脱せずに上述した実施形態に対して変更及び修正がなされ得ることが理解されよう。
【０１６０】
この詳細な説明は、ここに開示するシステム、装置及び方法の種々の特徴及び機能を、添付図面を参照して述べるものである。図面において、特に指示がない限り、典型的に、同様のコンポーネントは、同様の記号で識別される。詳細な説明、図面及び請求の範囲に述べる実施形態は、それに限定されるものではない。ここに述べる要旨の精神又は範囲から逸脱せずに、他の実施形態も使用でき、他の変更もなし得る。添付図面に示してここに一般的に述べる本開示の態様は、種々の異なる構成で配列、置き換え、合成、分離、及び設計することができ、それらは、全て、明確にここに意図される。
【０１６１】
図示して説明したメッセージフロー図、シナリオ、及びフローチャートのいずれか又は全部に対して、各ステップ、ブロック及び／又は通信は、規範的な実施形態による情報の処理及び／又は情報の送信を表わす。これら規範的実施形態の範囲内には別の実施形態も含まれる。これら別の実施形態では、例えば、ステップ、ブロック、送信、通信、要求、応答及び／又はメッセージとして述べる機能は、図示して説明したものとは異なる順序で実行することができ、これは、それに伴う機能に基づいて実質的に同時又は逆の順序も含む。更に、ここに述べるメッセージフロー図、シナリオ及びフローチャートと共に、より多くの又はより少ないステップ、ブロック、及び／又は機能を使用することができ、それらのメッセージフロー図、シナリオ及びフローチャートを部分的又は全体的に一部分結合することができる。
【０１６２】
情報の処理を表わすステップ又はブロックは、ここに述べる方法又は技術の特定の論理的機能を遂行するように構成できる回路に対応する。それとは別に又はそれに加えて、情報の処理を表わすステップ又はブロックは、モジュール、セグメント、又はプログラムコードの一部分（関連データを含む）に対応する。プログラムコードは、方法又は技術における特定の論理的機能又はアクションを実施するためにプロセッサにより実行可能な１つ以上のインストラクションを含む。プログラムコード及び／又は関連データは、ディスク又はハードドライブ又は他の記憶媒体を含む記憶装置のような任意の形式のコンピュータ読み取り可能な媒体に記憶することができる。
【０１６３】
コンピュータ読み取り可能な媒体は、レジスタメモリ、プロセッサキャッシュ、及び／又はランダムアクセスメモリ（ＲＡＭ）のような、データを短期間記憶するコンピュータ読み取り可能な媒体、等の非一時的コンピュータ読み取り可能な媒体を含む。コンピュータ読み取り可能な媒体は、プログラムコード及び／又はデータを長期間記憶する非一時的コンピュータ読み取り可能な媒体、例えば、リードオンリメモリ（ＲＯＭ）、光学又は磁気ディスク、及び／又はコンパクトディスクリードオンリメモリ（ＣＤ−ＲＯＭ）のような二次又は持続長期記憶装置を含む。コンピュータ読み取り可能な媒体は、他の揮発性又は不揮発性記憶システムでもよい。コンピュータ読み取り可能な媒体は、例えば、コンピュータ読み取り可能な記憶媒体、又は有形の記憶装置と考えられる。本発明を実施するために使用するソフトウェアは、一時的な形態、例えば、インターネットのようなネットワークを経て送信される信号の形態でもよい。
【０１６４】
更に、１つ以上の情報送信を表わすステップ又はブロックは、同じ物理的装置におけるソフトウェア及び／又はハードウェアモジュール間の情報伝達に対応する。しかしながら、異なる物理的装置におけるソフトウェアモジュール及び／又はハードウェアモジュール間の他の情報伝達も考えられる。
【０１６５】
種々の態様及び実施形態を開示したが、当業者であれば、他の態様及び実施形態も明らかであろう。ここに述べる種々の態様及び実施形態は、例示に過ぎず、それに限定されるものではない。
【符号の説明】
【０１６６】
１００：システム
１０２：アプリケーションサーバー
１０４：ＰＯＳターミナル
１０６：コードスキャナ
１０８：商人ターミナル
１１２：商人データベース
１１６：通信ネットワーク
１２０：商人ポータルウェブサイト
１４０：商人ＩＤコード
１４２：商人プロフィール
１５０：プロセッサ
１５２、１７６：ネットワークインターフェイス
１５４：ユーザインターフェイス
１５６：スキャナ
１５８：データ記憶装置
１６２：ＣＲＰＩ
１６４：ｓｃａｎｎｅｒ  ａｐｐ
１６６：プロセッサ
１６８：ネットワークインターフェイス
１７０：ユーザインターフェイス
１７１：スキャナ
１７２：データ記憶装置
１７６：ＣＲＰＩ
１７８：ｍｅｒｃｈａｎｔ  ａｐｐ
１８０：勘定書データベース
１８２：プロセッサ
１８４：ネットワークインターフェイス
１８６：ユーザインターフェイス
１８８：データ記憶装置
１９２：ＣＲＰＩ
１９４：ｓｃａｎｎｅｒ  ａｐｐ
１９６：ｍｅｒｃｈａｎｔ  ａｐｐ
１９８：ユーザプロフィール
２００：ウェブページ
２０１：登録フォーム
２０２：商人の商売名
２０４：商人の商売住所
２０６：商人の商売記述
８００：ページ
８０２：レストランの名前及び住所
８０４：商人識別コード
８０６：ウェイターのアイデンティティ又はコード
８０８：テーブル番号
８１０：食事中に消費した各品目の記述及び料金
８１２：支払うべき税金
８１４：サービス料
８２２、８２４、８２６：アイコン
【図１】
2015506004.tif 000003
【図２】
2015506004.tif 000004
【図３】
2015506004.tif 000005
【図４】
2015506004.tif 000006
【図５】
2015506004.tif 000007
【図６】
2015506004.tif 000008
【図７】
2015506004.tif 000009
【図８】
2015506004.tif 000010
【図９】
2015506004.tif 000011
【図１０】
2015506004.tif 000012
【図１１】
2015506004.tif 000013
【図１２】
2015506004.tif 000014
【国際調査報告】
2015506004.tif 000015
2015506004.tif 000016
2015506004.tif 000017